(57)【特許請求の範囲】
【請求項１】
通路の床面に防水シート収納溝を形成し、該防水シート収納溝の上面開口部に通行用蓋を着脱自在に設け、上記通路の幅に亘る防水シートの下縁を上記防水シート収納溝内に止水状態に支持し、上記防水シート収納溝内から上方に引き上げた上記防水シートの上縁を上記通路の左右両端設立柱に各々係合することにより、上記通路間を上記防水シートにて所定高さに閉鎖可能に構成し、
上記左右両端設立柱に各々押え柱を圧着することにより、上記左右両端設立柱と上記押え柱との間に上記防水シート両縁を止水状態に挟持し得るように構成した防水シートによる通路用止水装置において、
上記左右両端設立柱に交差する横補強バーを、上記左右両端設立柱の上下範囲の中間位置において、上記左右両端設立柱間に横架固定し、上記横補強バーにより上記防水シートの後面側を支持し得るように構成したものであって、
上記左右両端設立柱の各対向側面の同一水準位置に横断面「コ」字状の受け金具を各々設け、それらの両端部を上記各対向側面に固着することにより上記各対向側面と上記各受け金具の板面との間に挿入空間を各々設け、
上記横補強バーの両端面に、上記両端面から下方に突出するものであって、上記両受け金具の上記挿入空間に挿入可能な延長板を各々設け、
上記左右両端設立柱と上記横補強バーとの接続は、上記横補強バーの両端面の上記延長板を上記対向側面の対応する上記受け金具の上記挿入空間に各々挿入して上記横補強バーの下面を上記受け金具の上記板面の上縁に載置することにより行うものであることを特徴とする防水シートによる通路用止水装置。
【請求項２】
通路の床面に防水シート収納溝を形成し、該防水シート収納溝の上面開口部に通行用蓋を着脱自在に設け、上記通路の幅に亘る防水シートの下縁を上記防水シート収納溝内に止水状態に支持し、上記防水シート収納溝内から上方に引き上げた上記防水シートの上縁を上記通路の左右両端設立柱に各々係合することにより、上記通路間を上記防水シートにて所定高さに閉鎖可能に構成し、
上記左右両端設立柱に各々押え柱を圧着することにより、上記左右両端設立柱と上記押え柱との間に上記防水シート両縁を止水状態に挟持し得るように構成した防水シートによる通路用止水装置において、
上記左右両端設立柱間に上記左右両端設立柱と平行に中間柱を立設し、上記左右両端設立柱に交差する横補強バーを、上記左右両端設立柱の内、左端設立柱と上記中間柱との間、及び、上記左右両端設立柱の内、右端設立柱と上記中間柱との間に横架固定し、上記横補強バーにより上記防水シートの後面側を支持し得るように構成したものであって、
上記左右両端設立柱及び上記中間柱の各対向側面の同一水準位置に横断面「コ」字状の受け金具を各々設け、それらの両端部を上記各対向側面に固着することにより上記各対向側面と上記各受け金具の板面との間に挿入空間を各々設け、
上記横補強バーの両端面に、上記両端面から下方に突出するものであって、上記各受け金具の上記各挿入空間に係合可能な延長板を各々設け、
上記左右両端設立柱又は上記中間柱と上記横補強バーとの接続は、上記横補強バーの両端面の上記延長板を、上記左端設立柱と上記中間柱の上記各対向側面における上記受け金具の上記各挿入空間に挿入し、及び、上記右端設立柱と上記中間柱の上記各対向側面における上記受け金具の上記各挿入空間に挿入し、上記横補強バーの下面を上記各受け金具の上記板面の上縁に載置することにより行うものであることを特徴とする防水シートによる通路用止水装置。
【請求項３】
上記左右両端設立柱間に上記左右両端設立柱と平行に上記中間柱を複数本立設し、上記左右両端設立柱の内、上記左端設立柱と上記中間柱との間、上記中間柱と上記中間柱との間、及び、上記左右両端設立柱の内、上記右端設立柱と上記中間柱との間に、上記横補強バーを横架固定したものであることを特徴とする請求項２記載の防水シートによる通路用止水装置。
【請求項４】
上記横補強バーは、上記左右両端設立柱の上下範囲において、上端部近傍位置と、中央部近傍位置の２箇所に横架固定したものであることを特徴とする請求項１〜３の何れかに記載の防水シートによる通路用止水装置。
【請求項５】
上記横補強バーは、上記左右両端設立柱の上下範囲において、複数本の上記横補強バーを上下方向に所定間隔を以って横架固定したものであることを特徴とする請求項１〜３の何れかに記載の防水シートによる通路用止水装置。
【請求項６】
上記受け金具と上記延長板を結合して両部材の係合状態を維持するロック部材を設けたものであることを特徴とする請求項１又は２記載の防水シートによる通路用止水装置。
【請求項７】
上記ロック部材はプッシュボルトであり、当該プッシュボルトは上記横補強バーの両端部に固定されているものであることを特徴とする請求項６記載の防水シートによる通路用止水装置。
【請求項８】
上記受け金具と上記延長板を結合して両部材の係合状態を維持するロック部材を設け、
上記ロック部材はプッシュボルトにより構成し、当該プッシュボルトは上記横補強バーの両端部に固定されているものであり、
上記横補強バーの上記延長板を上記受け金具の上記挿入空間に挿入し上記横補強バーを上記受け金具の上記板面上に載置した装着状態において、上記プッシュボルトのロッドを上記延長板と上記受け金具の上記板面に各々設けられた貫通孔に挿通することで、上記横補強バーを上記受け金具にロックするものであることを特徴とする請求項１又は２記載の防水シートによる通路用止水装置。
【発明の詳細な説明】
【技術分野】
【０００１】
本発明は洪水等の非常時に通路を緊急止水し、地下構造物等への水の流入を防止し得る防水シートによる通路用止水装置に関するものである。
【背景技術】
【０００２】
従来、構造物の入口両側壁に両端設立柱を設け、当該両端設立柱間の床面下に予め折り畳み収納していた防水シートを上方に引き上げて、当該防水シートの両側上縁を上記両端設立柱に係止することで上記両端設立柱間を当該防水シートで閉鎖し、かつ上記防水シートの両縁部に各々当て柱を押し当てることでシート両端縁部を上記両端設立柱と上記当て柱との間に止水状態に挟持し、当該防水シートによって通路外部から通路内部への水の流入を阻止し、洪水時等の当該通路内地下構造物等への流水を防止する通路止水装置が提案されている（特許文献１）。
【先行技術文献】
【特許文献】
【０００３】
【特許文献１】特許第４５１９４７９号公報
【発明の概要】
【発明が解決しようとする課題】
【０００４】
ところで、上記特許文献１の通路用止水装置は、通路外部の水位が上昇した場合、上記両端設立柱間の上記防水シートにて地下構造物への流水を阻止するものであるから、当該防水シートの耐水圧限界は上記防水シートの高さに依存していた。
【０００５】
即ち、所定高さの防水シートによって一定の高さの水位までは止水できるが、単純に防水シートの高さを高くしただけでは、防水シートは水圧により内側に湾曲するため、耐水圧限界のシート高さには限界があった。
【０００６】
従って、防水シートによって、より高い水位であっても確実に止水できる防水シートによる通路用止水装置の構造の実現が望まれている。
【０００７】
本発明は上記従来の課題に鑑みてなされたものであり、防水シートのシート高さを高くすることができ、より高い水位の洪水等であっても止水が可能な防水シートによる通路用止水装置を提供することを目的とする。
【課題を解決するための手段】
【０００８】
上記の目的を達成するために本発明は、
第１に、通路の床面に防水シート収納溝を形成し、該防水シート収納溝の上面開口部に通行用蓋を着脱自在に設け、上記通路の幅に亘る防水シートの下縁を上記防水シート収納溝内に止水状態に支持し、上記防水シート収納溝内から上方に引き上げた上記防水シートの上縁を上記通路の左右両端設立柱に各々係合することにより、上記通路間を上記防水シートにて所定高さに閉鎖可能に構成し、上記左右両端設立柱に各々押え柱を圧着することにより、上記左右両端設立柱と上記押え柱との間に上記防水シート両縁を止水状態に挟持し得るように構成した防水シートによる通路用止水装置において、上記左右両端設立柱に交差する横補強バーを、上記左右両端設立柱の上下範囲の中間位置において、上記左右両端設立柱間に横架固定し、上記横補強バーにより上記防水シートの後面側を支持し得るように構成したものであって、上記左右両端設立柱の各対向側面の同一水準位置に横断面「コ」字状の受け金具を各々設け、それらの両端部を上記各対向側面に固着することにより上記各対向側面と上記各受け金具の板面との間に挿入空間を各々設け、上記横補強バーの両端面に、上記両端面から下方に突出するものであって、上記両受け金具の上記挿入空間に挿入可能な延長板を各々設け、上記左右両端設立柱と上記横補強バーとの接続は、上記横補強バーの両端面の上記延長板を上記対向側面の対応する上記受け金具の上記挿入空間に各々挿入して上記横補強バーの下面を上記受け金具の上記板面の上縁に載置することにより行うものであることを特徴とする防水シートによる通路用止水装置により構成される。
【０００９】
上記左右両端設立柱に交差する横補強バーとは、例えば横補強バーが左右両端設立柱に直交すること、例えば横補強バーが水平方向に位置することをいう。よって、防水シートの前面側に水圧が作用したとき、防水シートの後面側に横補強バーが位置しているので、当該横補強バーによって水圧が作用した防水シートの後面を支持することができる。これにより、従来の装置に比べて、防水シートの上端位置をより高く設定することができ、より水位の高い洪水等の災害に対応可能な防水シートによる通路用止水装置を実現できる。このように構成すると、横補強バーの横架固定は、横補強バーの両端の係合部材を左右両端設立柱又は中間柱の対向側面の受け金具に係合することにより簡単に行うことができる。
【００１０】
第２に、通路の床面に防水シート収納溝を形成し、該防水シート収納溝の上面開口部に通行用蓋を着脱自在に設け、上記通路の幅に亘る防水シートの下縁を上記防水シート収納溝内に止水状態に支持し、上記防水シート収納溝内から上方に引き上げた上記防水シートの上縁を上記通路の左右両端設立柱に各々係合することにより、上記通路間を上記防水シートにて所定高さに閉鎖可能に構成し、上記左右両端設立柱に各々押え柱を圧着することにより、上記左右両端設立柱と上記押え柱との間に上記防水シート両縁を止水状態に挟持し得るように構成した防水シートによる通路用止水装置において、上記左右両端設立柱間に上記左右両端設立柱と平行に中間柱を立設し、上記左右両端設立柱に交差する横補強バーを、上記左右両端設立柱の内、左端設立柱と上記中間柱との間、及び、上記左右両端設立柱の内、右端設立柱と上記中間柱との間に横架固定し、上記横補強バーにより上記防水シートの後面側を支持し得るように構成したものであって、上記左右両端設立柱及び上記中間柱の各対向側面の同一水準位置に横断面「コ」字状の受け金具を各々設け、それらの両端部を上記各対向側面に固着することにより上記各対向側面と上記各受け金具の板面との間に挿入空間を各々設け、上記横補強バーの両端面に、上記両端面から下方に突出するものであって、上記各受け金具の上記各挿入空間に係合可能な延長板を各々設け、上記左右両端設立柱又は上記中間柱と上記横補強バーとの接続は、上記横補強バーの両端面の上記延長板を、上記左端設立柱と上記中間柱の上記各対向側面における上記受け金具の上記各挿入空間に挿入し、及び、上記右端設立柱と上記中間柱の上記各対向側面における上記受け金具の上記各挿入空間に挿入し、上記横補強バーの下面を上記各受け金具の上記板面の上縁に載置することにより行うものであることを特徴とする防水シートによる通路用止水装置により構成される。
【００１１】
このように上記左右両端設立柱の間に中間柱を有するものであっても、同様に横補強バーを横架することにより、より水位の高い洪水等の災害に対応可能な高さの高い防水シートによる通路用止水装置を実現できる。
【００１２】
第３に、上記左右両端設立柱間に上記左右両端設立柱と平行に上記中間柱を複数本立設し、上記左右両端設立柱の内、上記左端設立柱と上記中間柱との間、上記中間柱と上記中間柱との間、及び、上記左右両端設立柱の内、上記右端設立柱と上記中間柱との間に、上記横補強バーを横架固定したものであることを特徴とする上記第２記載の防水シートによる通路用止水装置により構成される。
【００１３】
このように中間柱を複数本立設した幅の広い通路であっても、同様に横補強バーを横架することにより、より水位の高い洪水等の災害に対応可能な高さの高い防水シートによる通路用止水装置を実現できる。
【００１４】
第４に、上記横補強バーは、上記左右両端設立柱の上下範囲において、上端部近傍位置と、中央部近傍位置の２箇所に横架固定したものであることを特徴とする上記第１〜３の何れかに記載の防水シートによる通路用止水装置により構成される。
【００１５】
このように横補強バーを上下２箇所に横架固定することにより、水圧が作用した防水シートの後面を効果的に支持することができ、より水位の高い洪水等の災害に対応可能な高さの高い防水シートによる通路用止水装置を実現できる。
【００１６】
第５に、上記横補強バーは、上記左右両端設立柱の上下範囲において、複数本の上記横補強バーを上下方向に所定間隔を以って横架固定したものであることを特徴とする上記第１〜３の何れかに記載の防水シートによる通路用止水装置により構成される。
【００１７】
このように横補強バーを上下方向に複数本横架固定することにより、水圧が作用した防水シートの後面を効果的に支持することができ、より水位の高い洪水等の災害に対応可能な高さの高い防水シートによる通路用止水装置を実現できる。
【００２１】
第６に、上記受け金具と上記延長板を結合して両部材の係合状態を維持するロック部材を設けたものであることを特徴とする上記第１又は２記載の防水シートによる通路用止水装置により構成される。
【００２２】
上記ロック部材は例えばプッシュボルト（１７）により構成することができる。このように構成すると、左右両端設立柱又は中間柱と上記横補強バーをロック部材により確実に固定することができる。
【００２３】
第７に、上記ロック部材はプッシュボルトであり、当該プッシュボルトは上記横補強バーの両端部に固定されているものであることを特徴とする上記第６記載の防水シートによる通路用止水装置により構成される。
【００２４】
このように構成すると、横補強バーと左右両端設立柱又は中間柱とのロックをプッシュボルトによりワンタッチで行うことができる。
第８に、上記受け金具と上記延長板を結合して両部材の係合状態を維持するロック部材を設け、上記ロック部材はプッシュボルトにより構成し、当該プッシュボルトは上記横補強バーの両端部に固定されているものであり、上記横補強バーの上記延長板を上記受け金具の上記挿入空間に挿入し上記横補強バーを上記受け金具の上記板面上に載置した装着状態において、上記プッシュボルトのロッドを上記延長板と上記受け金具の上記板面に各々設けられた貫通孔に挿通することで、上記横補強バーを上記受け金具にロックするものであることを特徴とする上記第１又は２記載の防水シートによる通路用止水装置により構成される。
【発明の効果】
【００２５】
本発明は上述のように、従来の装置に比べて、左右両端設立柱の間に横補強バーが存在するので、防水シートの上端位置をより高く設定することができ、より水位の高い洪水等の災害に対応可能な高さの高い防水シートによる通路用止水装置を実現できるものである。
【００２６】
また、横補強バーの横架固定は、横補強バーの両端の延長板を左右両端設立柱又は中間柱の対向側面の受け金具に係合することにより簡単に行うことができる。
【００２７】
また、横補強バーと左右両端設立柱又は中間柱とはロック部材により固定されるので、水圧が作用した防水シートの後面を確実に支持することができる。また、横補強バー１１の左右両端設立柱又は中間柱への固定（ロック）はプッシュボルト１７により容易に行うことができるので、装置の組立作業性に優れている。
【図面の簡単な説明】
【００２８】
【図１】本発明に係る防水シートによる通路用止水装置の横断面平面図である。
【図２】同上装置の中央部を省略した一部断面正面図である。
【図３】図２のＸ１―Ｘ１線断面図である。
【図４】同上装置における左端設立柱と押え柱によって防水シートの挟持の状態を示す同左端設立柱近傍の横断面図である。
【図５】同上装置における左端設立柱と防水シートの部分斜視図である。
【図６】同上装置における左端設立柱に防水シートを係止した状態の部分斜視図である。
【図７】同上装置における左端設立柱と横補強バーの部分斜視図である。
【図８】同上装置における左端設立柱に横補強バーを取り付けた状態の部分斜視図である。
【図９】同上装置において防水シートを引き上げた状態の中央部を省略した一部断面正面図である。
【図１０】図１３のＸ２―Ｘ２線断面図である。
【図１１】同上装置における左端設立柱と押え柱によって防水シートの挟持の状態を示す同左端設立柱近傍の横断面図である。
【図１２】同上装置における左端設立柱と押え柱との接合状態を示す上記左端設立柱近傍の平面図である。
【図１３】同上装置において、押え柱を取り付けた後の中央部を省略した一部断面正面図である。
【図１４】同上装置における中間柱を示す縦断面図である。
【図１５】同上装置における中間柱近傍の平面図である。
【図１６】同上装置の設立柱と横補強バーを組んだ状態を示す図であり、（ａ）は幅が広い通路等で中間柱を用いる場合、（ｂ）は幅の狭い通路等の止水構造である。
【図１７】同上装置に使用される横補強バーの側面図である。
【図１８】同上装置におけるプッシュボルトによるロック状態を示す横補強バーの拡大正面図である。
【発明を実施するための形態】
【００２９】
以下、本発明に係る防水シートによる通路用止水装置を詳細に説明する。
【００３０】
図１は本発明に係る防水シートによる通路用止水装置の平面断面図であり、１，１は本装置を設置する通路の側壁であり、当該側壁１，１間に通路Ｒが形成され、当該通路Ｒを本発明に係る通路用止水装置２にて止水する。尚、上記側壁１，１は例えば商業ビル、マンション、アパートの入口、或いは、地下鉄、地下道への入口等であり、符号３（外部）側が建物外部、符号４（内部）側が建物内部であり、洪水時は矢印Ａ方向に水圧が作用する。また、図１において、外部３側を「前方」、内部４側を「後方」、「前方」から「後方」を向いた場合の左右方向を「左方」、「右方」として以下説明する。
【００３１】
この通路用止水装置２は、上記側壁１，１の外部３側の床面Ｇに、上記側壁１，１より若干左右方向に広く凹設された防水シート収納溝８と、上記側壁１，１の両側に立設された左右両端設立柱５，５を有している。尚、上記左右両端設立柱５，５は、左右個別に説明する場合は、左端設立柱５、右端設立柱５という。上記防水シート収納溝８は、上記通路Ｒを構成する床面Ｇのレベルより下方に凹設されており、当該収納溝８内に防水シート１３が折り畳まれた状態で収納されている（図２、図３参照）。また、上記収納溝８の上面開口部８ａ（図１のハッチングを施した部分）は、通行用蓋８’（図２参照）にて閉鎖されており、通常時、通路Ｒの通行が可能となっている。
【００３２】
上記左右両端設立柱５，５は、横断面略方形の四角柱状の金属棒から構成されており、当該設立柱５，５の下端５’，５’は上記溝８の底部８ｂに固定されている（図２参照）。これらの設立柱５，５は、後面５ａ，５ａに取付突部５ｂ，５ｂが設けられており、該取付突部５ｂ，５ｂの内側から上記側壁１，１の前面縁部１ａ，１ａ内に取付螺子６，６を螺子込むことで、上記側壁１，１の前面縁部１ａ，１ａに固定されている（図４参照）。また、上記前面縁部１ａ，１ａと上記取付突部５ｂ，５ｂ間は、上記設立柱５，５の上端から下端まで弾性体又はパテ（エポキシ樹脂等）の止水材７によって止水状態に取り付けられている（図４、図３参照）。
【００３３】
これらの左右両端設立柱５，５は、図２に示すように、その前面５ｃ側の上端部には前方側に突出する防水シート係合突起１０が形成されると共に、上記突起１０の直下より下端部に至るまで凹溝５ｄが直線的に凹設され、当該凹溝５ｄ内部全体には止水用の弾性体９が上記前面５ｃと面一となるように嵌着されている（図２、図４、図６参照）。
【００３４】
上記左右両端設立柱５，５の対向側面５ｅ，５ｅには、後述の横補強バー１１を取り付けるための受け金具１２が設けられている（図７、図８参照）。この受け金具１２は、長方形金属板を横断面「コ」字状に折曲形成したものであり、両端部を上記対向側面５ｅに固着し、上記対向側面５ｅと板面１２ａとの間に、上記横補強バー１１の延長板１１ｂを挿入係合し得る挿入空間１２ｂが形成されている。また、上記板面１２ａの中央には、後述のプッシュボルト１７を挿入するための貫通孔１２ｃが貫通形成されている。この受け金具１２は図２、図３に示すように、上記設立柱５，５の上記対向面５ｅ，５ｅの上下２箇所の同一水準位置（同一水準高さ）に各々設けられており、上記横補強バー１１は上記設立柱５に対して上下２本が横架されるように構成されている（図２参照）。
【００３５】
上記防水シート１３は、図２に示すようにその左右幅は上記左右両端設立柱５，５間の幅より幅広であって、上記通路Ｒの幅に亘るように形成されており、図３に示すように、横方向に一定間隔に複数の折目が設けられており、これらの折目で交互に折り畳むことにより、上記防水シート収納溝８内の上記左右両端設立柱５，５の前方下方位置に折畳収納されている。
【００３６】
そして、この防水シート１３の下端縁１３’は、左右方向全幅に亙って上記溝８内に固定された支持板１４に止水状態に接続されており、上端縁１３”には、左右方向全域に亙って水平横杆１５が接続されており、上記水平横杆１５の両端部には、各々中央に係合孔１６ａが貫設された係合板１６が接続固定されている。従って、上記防水シート１３はその上記水平横杆１５を以って上方に引き上げて、その両端の係合板１６，１６の上記係合孔１６ａ，１６ａを上記左右両端設立柱５，５の上記防水シート係合突起１０，１０に係合することで、上記左右両端設立柱５，５の前面側に位置させることができ（図９参照）、これにより、上記左右両端設立柱５，５間を上記防水シート１３にて閉鎖することができるように構成されている。
【００３７】
上記横補強バー１１は、図７、図８、図１７に示すように、断面略方形の角棒からなるものであり、その両端面に取付板１１ａが各々固設されている。この取付板１１ａは、上記横補強バー１１の両端面から下方向に突出する延長板１１ｂを有しており、当該延長板１１ｂの板面中央部には貫通孔１１ｃが形成されている。そして、この横補強バー１１は図８に示すように、上記延長板１１ｂを上記受け金具１２の上記挿入空間１２ｂ内に挿入して上記横補強バー１１の下面を上記受け金具１２の板面１２ａの上縁に載置した状態において、上記受け金具１２の貫通孔１２ｃと上記延長板１１ｂの貫通孔１１ｃが連通するように構成されている（図１８参照）。このように、横補強バーは上記左右両端設立柱５，５間に水平に横架される（図１６参照）。
【００３８】
そして、上記貫通孔１２ｃと上記貫通孔１１ｃが連通した状態で、両方の貫通孔１２ｃ，１１ｃに、図２、図１８に示すように、プッシュボルト１７のロッド１７ｃを挿入係合することにより、上記横補強バー１１を上記左右両端設立柱５に交差（直交）する水平状態に固定し得るように構成している。尚、上記プッシュボルト１７は予め上記横補強バー１１の下面両端に図１８に示すようにボルトＢ等で固定しておき、上記横補強バー１１の両端の上記延長板１１ｂ，１１ｂを上記左右両端設立柱５，５の上記挿入空間１２ｂ，１２ｂに挿入係合した後、両側のプッシュボルト１７，１７の押ボタン１７ａ，１７ａを押すことで上記ロッド１７ｃ，１７ｃを各々突出させて両側の貫通孔１２ｃ，１１ｃ内に挿通させ、これにより当該横補強バー１１を上記受け金具１２，１２にロックするように構成することが好ましい。
【００３９】
この横補強バー１１は、上記左右両端設立柱５，５間に水平に横架されるものであり、中間柱１８（図１４、図１６（ａ）参照）が存在しない場合は、上記左右両端設立柱５，５間に水平に横架し得る長さを有しており（図１６（ｂ）参照）、中間柱１８が存在する場合は（図１６（ａ））、左端設立柱５と中間柱１８間、又は、右端設立柱５と中間柱１８間、又は、中間柱１８間に横架し得る長さを有している。
【００４０】
１９は押え柱であり（図１、図４、図６、図１０参照）、図９に示すように上記防水シート１３を上方に引き上げて、両端の係合板１６，１６の係合孔１６ａ，１６ａを突起１０，１０に係合して上記左右両端設立柱５，５間を同防水シート１３にて閉鎖した状態において、上記左右両端設立柱５，５の前面５ｃ，５ｃに圧着固定することにより、上記防水シート１３の左右両縁１３ａ，１３ａ（図９参照）を上下方向全域に亙って止水するものである。
【００４１】
上記押え柱１９は、図４、図６、図１０に示すように、横断面四角形状の角棒からなるものであり、その長さは図１０に示すように、上記左右両端設立柱５，５の上端部から下端部に至るような同設立柱５，５と略同一の長さを有している。この押え柱１９は、上記左右両端設立柱５，５に対応して２本設けられており、図１０、図１３に示すように、上記左右両端設立柱５，５の前面５ｃ，５ｃ側に上記防水シート１３の上記左右両縁１３ａのシート面を介して各々押圧固定され、上記防水シート１３の左右両縁１３ａ，１３ａを上下方向に亘って止水するものである。
【００４２】
図４に示すように、各押え柱１９の後面１９ａには上記左右両端設立柱５，５の上記防水用の弾性体９と同様の上下範囲に、上記弾性体９に圧接して止水するための横断面三角状の突条１９ｂが突出形成されている。また、この押え柱１９の下端には下方突起１９ｃが設けられており（図１０参照）、上記防水シート収納溝８の底部８ｂの上記左右両端設立柱５，５の前面には上記下方突起１９ｃの係合凹部８ｃが設けられている。さらに、この押え柱１９の上端面には引掛け金具２０が設けられており（図１２参照）、上記左右両端設立柱５，５の上面には上記引掛け金具２０が係合する係合金具２１が設けられている。
【００４３】
よって、上記押え柱１９の下方突起１９ｃを上記収納溝８内の上記係合凹部８ｃに挿入係合して、その後面１９ａの上記突条１９ｂを上記防水シート１３を介して上記左右両端設立柱５，５の上記弾性体９に圧接して、上記押え柱１９の後面１９ａと上記左右両端設立柱５，５の前面５ｃ，５ｃ間に上記防水シート１３を止水状態に挟着し、かつ上記引掛け金具２０の引掛部２０ａを上記左右両端設立柱５，５側の上記係合金具２１に係合し、その後ロック金具２０ｂを支軸２０ｃを中心として前方側に回動することで、上記引掛け金具２０と上記係合金具２１とを接続する。これにより、上記押え柱１９の後面１９ａは上記左右両端設立柱５，５の前面５ｃ，５ｃに止水状態で圧接固定される。
【００４４】
そして、上記突条１９ｂが防水シート１３の左右両縁１３ａ, １３ａを介して左右両端設立柱５，５の弾性体９に圧着することで、上記弾性体９の設けられた上記左右両端設立柱５，５の下端位置から上端位置にかけて止水することができる。尚、上記押え柱１９の上端部後面は上記防水シート１３の係合板１６、突起１０等をクリアするための空間Ｓが形成されている（図１０参照）。このように、上記左右両端設立柱５，５の前面に上記防水シート１３を介して上記押え柱１９，１９を圧着固定することで、当該防水シート１３によって上記通路Ｒの外側４と内側３とを止水状態とすることができる。
【００４５】
図１８は、上記プッシュボルト１７の構造の一例を示すものであり、上記受け金具１２にロッド１７ｃを対向させて設置し、押ボタン１７ａをバネ１７ｂの付勢力に抗して、突起１７ｄが係合穴１７ｅに係合するまで、矢印ａ方向に押すことで、上記ロッド１７ｃを上記受け金具１２の貫通孔１２ｃと上記延長板１１ｂの貫通孔１１ｃに挿通することができ、これにより上記横補強バー１１を左右両端設立柱５，５にロックするものである。上記突起１７ｄを矢印ｂ方向（上方）に押して上記突起１７ｄと上記係合穴１７ｅとの係合を解除すると、上記バネ１７ｂの付勢力によって上記ロッド１７ｃが逆方向（矢印ｃ方向）に復帰し、上記延長板１１ｂを上記受け金具１２から離脱可能となるように構成している。尚、上記ロッド１７ｃの復帰状態では上記突起１７ｄは隣接する係合穴１７ｆ内に係合して上記プッシュボルト１７の復帰状態が維持される。
【００４６】
図１４に示すものは（図１６（ａ）も参照）、上記左右両端設立柱５，５の中間に設立される中間柱１８を示すものであり、上記左右両端設立柱５，５の中間に上記設立柱５，５に並行に設けられるものである。上記防水シート収納溝８内の底部８ｂの中央部に上記中間柱１８の上面開口固定管２２が固設されており、当該中間柱１８はその下端部１８ａを上記固定管２２内に挿入することで、上記左右両端設立柱５，５間に上記左右両端設立柱に平行に立設される。
【００４７】
上記中間柱１８の左側面１８ｂは上記左端設立柱５の対向側面５ｅに対向しており（図１５、図１６（ａ）参照）、上記左端設立柱５の上記対向面側５ｅ上の上下２箇所の上記受け金具１２，１２に対応する上記左側面１８ｂの上下２箇所の同一水準位置に受け金具１２，１２が設けられている。また、上記中間柱１８の右側面１８ｃは上記右端設立柱５の対向面５ｅに対向しており、上記右端設立柱５の上記対向面５ｅ上の上下２箇所の上記受け金具１２，１２に対応する上記右側面１８ｃの上下２箇所の同一水準位置に受け金具１２，１２が設けられている（図１６（ａ）参照）。よって、上記中間柱１８の左側面１８ｂと上記左端設立柱５間に上下２本の上記横補強バー１１，１１を横架し、かつ上記中間柱１８右側面１８ｃと上記右端設立柱５間に上下２本の上記横補強バー１１，１１を横架し得るように構成されている。
【００４８】
また、上記中間柱１８を設ける場合は、図１５に示すように、該中間柱１８の上端面に係合片２３を設ける共に、上記水平横杆１５の上記中間柱１８の対応位置に係合リング２４設け、上記水平横杆１５を上昇した際、上記係合リング２４を上記係合片２３に係合させ、上記水平横杆１５を上記中間柱１８の上端部に係合するように構成することができる。
【００４９】
本発明の通路用止水装置は上述のように構成されるので、次に、その取付方法を説明する。
【００５０】
まず、上記通路Ｒの防水シート収納溝８を閉止している通行用蓋８’を取り除く。次に、図１６（ａ）に示すように、左右両端設立柱５，５間の間隔が広く、中間柱１８を設置する場合は、当該中間柱１８の下端部１８ａを上記収納溝８中央に設けられた上面開口固定管２２内に挿入して上記設立柱５，５間に当該中間柱１８を立設する。尚、上記左右両端設立柱５，５間が狭く上記中間柱１８を使用しない場合は、当該中間柱１８を立設する必要はない（図１６（ｂ）参照）。
【００５１】
次に、上記中間柱１８を使用する場合は、４本の横補強バー１１を用意し、左端設立柱５と上記中間柱１８の左側面１８ｂとの間において、上下２箇所の受け金具１２，１２に各々横補強バー１１，１１を各々横架し、右端設立柱５と上記中間柱１８の右側面１８ｃとの間において、上下２箇所の受け金具１２，１２に各々２本の横補強バー１１，１１を横架する（図１６（ａ）参照）。
【００５２】
具体的には、上記横補強バー１１の両端の延長板１１ｂを上記左端設立柱５と上記中間柱１８の左側面１８ｂの各々の受け金具１２，１２の挿入空間１２ａ，１２ａに挿入して、上記左端設立柱５と上記中間柱１８の左側面１８ｂ間の上下２箇所に２本の上記横補強バー１１，１１を水平に横架する。その後、プッシュボルト１７を上記横補強バー１１の両端下面にボルトＢにて固定し、押ボタン１７ａを押してそのロッド１７ｃを上記受け金具１２と上記延長部１１ｂの貫通孔１２ｃ，１１ｃに挿通して、上記各横補強バー１１を上記受け金具１２に対して離脱不能に固定する。
【００５３】
中間柱１８を用いない場合は、図１６（ｂ）に示すように左右両端設立柱５，５に設けられた上下２箇所の受け金具１２，１２に各々２本の横補強バー１１，１１を同様に水平に横架して、プッシュボルト１７，１７にて同様に横補強バー１１，１１を上記左右両端設立柱５，５に離脱不能に固定する。
【００５４】
次に、上記防水シート収納溝８内に収納されている防水シート１３の水平横杆１５を把持し、該水平横杆１５が略上記左右両側設立柱５，５の上端部の高さになるまで上方に引き上げ、上記水平横杆１５の両側の係合板１６，１６の係合孔１６ａ，１６ａを各々上記左右両端設立柱５，５の上記防水シート係合突起１０，１０に挿入係合する。これにより図９に示すように、当該防水シート１３によって上記左右両側設立柱５，５間が閉鎖されると共に、上記防水シート１３の両端延長縁１３ｂ, １３ｂは上記左右両側設立柱５，５より左右方向に延出した状態となり、上記通路Ｒにおける上記左右両端設立柱５，５の前方側が上記防水シート１３によって覆われた状態となる。
【００５５】
このとき、上記防水シート１３の上端の上記水平横杆１５の位置は、上側の上記横補強バー１１，１１より若干上方に位置するように構成されている。
【００５６】
次に、押え柱１９を２本用意し、図１０に示すように、それらの下方突起１９ｃを上記収納溝８内の上記各係合凹部８ｃ内に各々挿入すると共に、その後面１９ａを上記左右両端設立柱５の前面５ｃに圧接し、それらの上端の引掛け金具２０の引掛部２０ａを上記左右両端設立柱５，５の上端の係合金具２１，２１に各々係合し、各ロック金具２０ｂを前方に回転して上記押え柱１９，１９の各上端を上記左右両端設立柱５，５上端に係合圧着させる。
【００５７】
すると、上記各押え柱１９の突条１９ｂが上記防水シート１３の各両縁１３ｂのシート面を介して上記左右両端設立柱５，５の弾性体９，９に圧接するため（図４参照）、上記防水シート１３の左右両縁１３ａ，１３ａを上記左右両端設立柱５，５の上下方向の全域に亙って止水状態とすることができる（図１０、図１３参照）。よって、上記防水シート１３の下端縁１３’の左右方向全域、及び防水シート１３の左右両縁１３ａ，１３ａの上下方向全域を止水状態とすることができ、当該通路用止水装置２により、通路Ｒの外側３から内側４への流水を防止することができる。
【００５８】
図１０、図１３の状態においては、洪水等が発生して通路Ｒの外側３側の水位が上昇して、上記防水シート１３の上縁付近まで水位が到達すると、当該水圧が上記防水シート１３の前面に作用するが、上記防水シート１３の後面には上下の２箇所に横補強バー１１が設けられているので、上記防水シート１３の水圧による後方への湾曲を上下２本の横補強バー１１，１１により支持することができ、当該防水シート１３によって通路Ｒの内側４への流水を防止することができる。よって、上記本発明の防水シートによる通路用止水装置の高さ、即ち、防水シート１３の上縁の高さを従来装置より高く設定することができ、より水位の高い洪水等の災害にも対応可能な高さの高い防水シートによる通路用止水装置を実現することができる。
【００５９】
一例として、従来の防水シートによる通路用止水装置のシート高さは９００ｍｍ程度であったが、本発明の防水シートによる通路用止水装置によると、シート高さを９００ｍｍ以上とすることができ、例えば１０００ｍｍ、１５００ｍｍ等のシート高さの通路用止水装置を構成することができる。
【００６０】
尚、横補強バー１１を上下に２本設ける実施形態を示したが、横補強バー１１の本数は２本に限定されず、２本以上（３本、４本等）設けても良く、上下方向の本数を増やせばより高さの高い（例えば１５００ｍｍ以上、例えば１８００ｍｍ、２０００ｍｍ等）防水シートによる通路用止水装置を実現することができる。また、通路Ｒの横方向の幅が広い場合は中間柱１８の本数を増加させても良いことは勿論である。
【００６１】
以上のように、本発明によれば、防水シート１３の前面側に水圧が作用したとき、防水シート１３の後面側に横補強バー１１が位置しているので、当該横補強バー１１によって防水シート１３の後面を支持して通路Ｒ内側４への流水を防止することができる。これにより、従来の装置に比べて、防水シート１３の上端位置をより高く設定することができ、より水位の高い洪水等の災害に対応可能な高さの高い防水シートによる通路用止水装置を実現できる。
【００６２】
また、中間柱１８を有する通路用止水装置であっても、同様に横補強バー１１を横架することにより、より水位の高い洪水等の災害に対応可能な高さの高い防水シートによる通路用止水装置を実現できる。
【００６３】
勿論、中間柱１８が複数本立設した幅の広い通路Ｒであっても、同様に横補強バー１１を横架することにより、より水位の高い洪水等の災害に対応可能な高さの高い防水シートによる通路用止水装置を実現できる。
【００６４】
また、水平方向の横補強バー１１を上下２箇所又は上下方向に複数本横架固定することにより、効果的に防水シートの後面を支持することができ、より水位の高い洪水等の災害に対応可能な高さの高い防水シートによる通路用止水装置を実現できる。
【００６５】
また、横補強バー１１の横架固定は、横補強バー１１の両端の係合部材（取付板１１ａ、延長板１１ｂ）を左右両端設立柱５，５又は中間柱１８の対向側面の受け金具１２に係合することにより簡単に行うことができる。
【００６６】
また、横補強バー１１の左右両端設立柱又は中間柱への固定（ロック）はプッシュボルト１７により容易に行うことができるので、装置の組立作業性に優れている。
【００６７】
尚、図５中２５は防水シート１３上縁の切欠であり、同シート１３を上昇させるときは当該切欠２５部分の水平横杆１５を把持して行う。また図２中２６は防水シート収納溝８形成用の基礎、２７は上記収納溝８を構成する凹状部材、２８は凹状部材の底部８ｂに形成された排水口である。
【産業上の利用可能性】
【００６８】
本発明の防水シートによる通路用止水装置は、従来の防水シートによる通路用止水装置に比べてより高い水位に対応することができるため、商業ビル・マンション・アパート・駐車場等の各種の施設の入り口通路、地下鉄・地下街・地下道・地下フロアへの入り口通路等の各種の施設入り口通路に広く適用することができるものである。
【符号の説明】
【００６９】
２          通路用止水装置
５          左右両端設立柱（左端設立柱、右端設立柱）
５ｅ        対向側面
８          防水シート収納溝
８’        通行用蓋
８ａ        上面開口部
１１        横補強バー
１１ａ      取付板
１１ｂ      延長板
１２        受け金具
１３        防水シート
１３’      下端縁（下縁）
１３”      上端縁（上縁）
１３ａ      両縁
１５        水平横杆
１６        係合板
１６ａ      係合孔
１７        プッシュボルト
１８        中間柱
１９        押え柱
Ｇ          床面
Ｒ          通路
【図１】
0005714444.tif 000002
【図２】
0005714444.tif 000003
【図３】
0005714444.tif 000004
【図４】
0005714444.tif 000005
【図５】
0005714444.tif 000006
【図６】
0005714444.tif 000007
【図７】
0005714444.tif 000008
【図８】
0005714444.tif 000009
【図９】
0005714444.tif 000010
【図１０】
0005714444.tif 000011
【図１１】
0005714444.tif 000012
【図１２】
0005714444.tif 000013
【図１３】
0005714444.tif 000014
【図１４】
0005714444.tif 000015
【図１５】
0005714444.tif 000016
【図１６】
0005714444.tif 000017
【図１７】
0005714444.tif 000018
【図１８】
0005714444.tif 000019